(57)【要約】【課題】  接話型コンデンサマイクロホンのマイクロホンユニット部分をノイズ源から保護する。【解決手段】  振動板１１と、この振動板１１が固着された振動板保持体６と、固定極６と、プリント基板１０と、固定極６の背面側に設けられた絶縁座７と、ユニットケース３を有するコンデンサマイクロホンユニット１５を、備え、コンデンサマイクロホンユニット１５を内部に固定し音波の導入孔を有しているマイクロホンケース１２と、音声信号を導通するシールド線１４と、を有する接話型コンデンサマイクロホン１であって、ユニットケース３は、周面側部に、その高さ方向のプリント基板１０の正面と固定極６の背面の間に開口部３Ａを有し、開口部３Ａの位置からプリント基板１０まで連通する空間が設けられ、ユニットケース３の周面側部の開口部からシールド線１４が挿入され、プリント基板１０に接続されている。【選択図】        図１
2011135480.tif 000002
【特許請求の範囲】
【請求項１】
振動板と、この振動板が固着された振動板保持体と、上記振動板に隙間をおいて対向配置され上記振動板との間でコンデンサを構成する固定極と、インピーダンス変換器が配置されるプリント基板と、上記固定極の背面側に設けられた絶縁体と、これらの部材が組み込まれ正面側に音波の導入孔を有し背面側に上記プリント基板が配置されたユニットケースを有するコンデンサマイクロホンユニット、を備え、
上記コンデンサマイクロホンユニットを内部に固定し上記ユニットケースの正面側と背面側に音波の導入孔を有しているマイクロホンケースと、
音声信号を導通するシールド線と、を有する接話型コンデンサマイクロホンであって、
上記ユニットケースは、周面側部に、その高さ方向における上記プリント基板の正面と上記固定極の背面の間に開口部を有し、この開口部から上記プリント基板の正面まで連通する空間が設けられ、
上記ユニットケースの周面側部の開口部から上記シールド線が挿入され、このシールド線が上記プリント基板に接続されていることを特徴とする接話型コンデンサマイクロホン。
【請求項２】
コンデンサマイクロホンユニットは、プリント基板および絶縁体に少なくとも１つの孔からなる後部音響端子を有する単一指向性コンデンサマイクロホンユニットである請求項１に記載の接話型コンデンサマイクロホン。
【請求項３】
コンデンサマイクロホンユニットは、その中心軸線方向をマイクロホンケースの中心軸線方向に合わせて上記マイクロホンケース内に配置され、上記マイクロホンケースの中心軸線方向両端が開放している請求項１または２に記載の接話型コンデンサマイクロホン。
【請求項４】
マイクロホンケースの中心軸線方向両端の開放面には、保護部材が被せられている請求項３に記載の接話型コンデンサマイクロホン。
【請求項５】
マイクロホンケースにはフレキシブルパイプが連結されるとともに、上記マイクロホンケースの周壁を貫通した孔と上記フレキシブルパイプの中心孔が連通し、これらの連通した孔にシールド線が引き通されている請求項１乃至４のいずれかに記載の接話型コンデンサマイクロホン。
【発明の詳細な説明】
【技術分野】
【０００１】
本発明は、接話型コンデンサマイクロホンにかかるものであり、詳しくは、接話型コンデンサマイクロホンに備えられたコンデンサマイクロホンユニットを外部の電磁波から保護して雑音の発生を防止する構造に関するものである。
【背景技術】
【０００２】
スポーツ実況や、音楽演奏時のいわゆるボーカルマイクとして、マイクロホン及び左右一対のスピーカーを備えたヘッドセットがある。図５に示す従来のヘッドセット１９は、使用者の両耳に当接されるイヤースピーカー１７と、ヘッドバンド１８と、フレキシブルパイプ２と、フレキシブルパイプ２（グースネック）の先端に接話型コンデンサマイクロホン１６を備えている。また、ヘッドセット１９は、イヤースピーカー１７と、ヘッドバンド１８からなる一般的なヘッドホンの片方のイヤースピーカー１７からフレキシブルパイプ２を使用者の口元の位置まで伸ばしている。このようなヘッドセット１９に使用される接話型コンデンサマイクロホン１６には、主に特許文献１に記載のような単一指向性コンデンサマイクロホンユニットが組みこまれている。
【０００３】
図６に従来のヘッドセットに使用される接話型コンデンサマイクロホン１６の例を示す。接話型コンデンサマイクロホン１６は、主に単一指向性コンデンサマイクロホンユニット１５と、単一指向性コンデンサマイクロホンユニット１５を収納するマイクロホンケース１２と、音声信号などをマイクロホン外部と導通するためのシールド線１４と、このシールド線１４を保護するフレキシブルパイプ２で構成されている。
【０００４】
図６において、マイクロホンケース１２に収納された単一指向性コンデンサマイクロホンユニット１５は、振動板１１と、振動板保持体５と、固定極６と、振動板１１と固定極６の間に介在する図示しないスペーサと、プリント基板１０と、固定極６の背面側（図６の下側）に設けられた絶縁座７と、正面側（図６の上側）に音波の導入孔を有し、背面側（図６の下側）にプリント基板１０を配置しているユニットケース３を有している。固定極６と絶縁素材で作られている絶縁座７によってユニットケース３内部の各構成部材が位置決めされている。絶縁座７には、固定極６の背面側からユニットケース３の外部に通ずる音響端子孔８が形成されている。
【０００５】
絶縁座７の背面側（図６の下側）にプリント基板１０が配置され、ユニットケース３の開放端縁の折り曲げ部がプリント基板１０の後面を押すことにより、ユニットケース３内の内蔵部品がユニットケース３内に位置決めされて固定されている。プリント基板１０の正面側（図６の上側）には、インピーダンス変換器を構成するＦＥＴ９が配置されている。ＦＥＴ９と固定極６とを電気的に接続させるため、ＦＥＴ９の端子を固定極６から伸びた接続部４に接触させている。
【０００６】
シールド線１４は、フレキシブルパイプ２に囲まれ、フレキシブルパイプ２は、マイクロホンケース１２に連通している。シールド線１４は、図６においてユニットケース３の外周面に沿い下方に向かって引き回されプリント基板１０の下面の所定の配線パターンに接続されている。シールド線１４は、シールド被覆線からなり、その配線は、信号線、電源線と、シールド線の３本で構成される。マイクロホンケース１２は、正面側（図６の上側）と背面側（図６の下側）が開放した円筒形になっていて、その正面側と背面側に保護部材１３が被せられている。これらの保護部材１３は、例えば網状の部材からなり、音波の導入孔を有している。
【０００７】
上述のように、単一指向性コンデンサマイクロホンユニット１５と、シールド線１４との接続は、単一指向性コンデンサマイクロホンユニット１５の後部にあるプリント基板１０の背面に形成されている半田付けランドで行われているので、マイクロホンユニット３の外部に対してむき出しになる。従ってこのむき出しの部分に強い電磁波が加わると雑音が発生する。しかしながら、図５で示すように、接話型コンデンサマイクロホン１６においては、その収音軸を口元に向ける必要があるため、その背面を水平面と角度をつける必要があった。そのため、その内部にあるコンデンサマイクロホンユニットは、想定する使用者の口元とは逆の方向の背面から電磁波が入り込みやすいが、それを想定していない問題があった。こういった雑音を防止するためにシールド線１４が用いられているが、プリント基板１０にはハンダなどで電気的に接続されているため、その信号線あるいは電源線には電磁波が侵入しやすい。また、ユニットケース３の周面にシールド線１４を這わせて配線する必要があるため、接話型コンデンサマイクロホン１６を組み立てるのに困難が生じ、かつ、シールド線１４が複数個所で直角に折れ曲がっているため断線する恐れがある。
【先行技術文献】
【特許文献】
【０００８】
【特許文献１】特開２００８−７２５８３号公報
【発明の概要】
【発明が解決しようとする課題】
【０００９】
本発明は、コンデンサマイクロホンユニットとシールド線との接続部分がむき出しにならないように工夫することにより、接話型コンデンサマイクロホンの使用態様からその背面を水平面から角度をつけられることにより、想定する使用者の口元とは逆の方向の背面から電磁波が入り込んでも外部からの電磁波による雑音の発生を防止し、組み立てやすく、シールド線の折れ曲がりを小さくすることを可能にして断線することを防ぐことができる接話型コンデンサマイクロホンの提供を目的とする。
【課題を解決するための手段】
【００１０】
本発明は、振動板と、この振動板が固着された振動板保持体と、振動板に隙間をおいて対向配置され振動板との間でコンデンサを構成する固定極と、インピーダンス変換器が配置されるプリント基板と、固定極の背面側に設けられた絶縁体と、これらの部材が組み込まれ正面側に音波の導入孔を有し背面側にプリント基板が配置されたユニットケースを有するコンデンサマイクロホンユニット、を備え、コンデンサマイクロホンユニットを内部に固定し、ユニットケースの正面側と背面側に音波の導入孔を有しているマイクロホンケースと、音声信号を導通するシールド線と、を有する接話型コンデンサマイクロホンであって、ユニットケースは、周面側部に、その高さ方向におけるプリント基板の正面と固定極の間に開口部を有し、この開口部から上記プリント基板の正面まで連通する空間が設けられ、ユニットケースの側部の開口部からシールド線が挿入されこのシールド線がプリント基板に接続されていることを最も主要な特徴とする。
【発明の効果】
【００１１】
本発明によれば、ユニットケースの側部に開口部が設けられ、ユニットケース内に開口部の位置からプリント基板まで連通する空間が設けられている。そして、開口部からシールド線が挿入され、接話型コンデンサマイクロホンの使用態様からその背面を水平面から角度をつけられることにより、想定する使用者の口元とは逆の方向の背面から電磁波が入り込んでもシールド線がプリント基板の正面側に形成されている所定の配線パターンに接続されているので、コンデンサマイクロホンユニットとシールド線の接続がむき出しにならず、外部からの電磁波による雑音の発生を防止することができる。また、シールド線を大きな角度で折り曲げることなくプリント基板に接続することができるので、組み立てやすく、シールド線の断線を防ぐことができる。
【図面の簡単な説明】
【００１２】
【図１】本発明に係る接話型コンデンサマイクロホンの実施例を断面図である。
【図２】本発明に係る接話型コンデンサマイクロホンにおける単一指向性コンデンサマイクロホンの実施例を示す正面図である。
【図３】上記実施例の側面図である。
【図４】上記実施例の背面図である。
【図５】従来のヘッドセットの一例を示す正面図である。
【図６】従来の接話型コンデンサマイクロホンの一例を示す断面図である。
【発明を実施するための形態】
【００１３】
以下、本発明にかかる接話型コンデンサマイクロホンの実施例を、図面を参照しながら説明する。なお、図５に示した従来の接話型コンデンサマイクロホン１６と同様に、本発明にかかる接話型コンデンサマイクロホン１は、ヘッドセットの一部を構成することを想定している。すなわち、図５における使用者の両耳に当接されるスピーカー１７と、ヘッドバンド１８を備える一般的なヘッドホンからフレキシブルパイプ２（グースネック）を使用者の口元まで伸ばし、その先端に図１における接話型コンデンサマイクロホン１を取り付けていることを想定している。ただし、本発明にかかる接話型コンデンサマイクロホン１は、特にこの実施例の構成に限定されるものではない。また図１乃至図４に示す実施例において、図５、図６と同様の構成部分には、同じ符号を付した。
【００１４】
図１において、本発明にかかる接話型コンデンサマイクロホン１は、図６の従来例と同様に、主に単一指向性コンデンサマイクロホンユニット１５と、このコンデンサマイクロホンユニット１５を収納するマイクロホンケース１２と、音声信号などをマイクロホン外部と導通するためのシールド線１４と、シールド線１４を保護するフレキシブルパイプ２を備えている。
【００１５】
単一指向性コンデンサマイクロホンユニット１５は、その中心軸線方向を円筒形状のマイクロホンケース１２の中心軸線方向に合わせてマイクロホンケース１２内に配置されている。マイクロホンケース１２の中心軸線方向両端（図１の上下方向）は開放していて、この中心軸線方向両端の開放面には、保護部材１３が被せられている。保護部材１３は、例えば網状の部材からなり、音波の導入孔を有していて、皿状に成形されている。マイクロホンケース１２には、その外周壁にフレキシブルパイプ２が連結されるとともに、マイクロホンケース１２の外周壁を貫通した孔１２Ｂとフレキシブルパイプ２の中心孔２Ａが連通し、この連通孔にシールド線１４が引き通されている。マイクロホンケース１２の中心軸線方向両端部は、内周側が肉厚方向に切削された形になっていて、中心軸線方向の中間部に内周側に突出した突部１２Ａが形成されている。上記両端の保護部材１３は、マイクロホンケース１２の中心軸線方向両端部内周側に嵌め込まれるとともに、上記突部１２Ａに当接して相互に固着されている。なお、マイクロホンケース１２の形状及び構成としては上述のものに限らず適宜の構造を選択することができる。
【００１６】
単一指向性コンデンサマイクロホンユニット１５は、円板状の薄膜からなる振動板１１と、この振動板１１の周縁部が固着されたリング状の振動板保持体５と、スペーサを介在させることにより振動板１１に隙間をおいて対向配置され振動板１１との間でコンデンサを構成する円盤状の固定極６と、インピーダンス変換器が配置される円盤状のプリント基板１０と、固定極６の背面側（図１の下側）に設けられた絶縁体からなる絶縁座７と、これらの部材が組み込まれ正面側（図１の上側）に音波の導入孔を有し背面側（図１の下側）にプリント基板１０が配置されるユニットケース３を有している。なお、接話型コンデンサマイクロホン１のコンデンサマイクロホンには図示した単一指向性のものだけでなく適宜のものを選択して組み込むことができる。例えば、音響端子孔８が塞がれている無指向性コンデンサマイクロホンであってもよい。使用するユニットケース３の形状は、適宜のものが選択でき、図１の実施例で想定しているような円筒形であってもよく、他の形状、例えば多角形状であってもよい。
【００１７】
ユニットケース３は、図２で示すようにその正面側に円形の中心孔と、この中心孔よりも半径方向外側に形成された４つの孔からなる音波の導入孔を有し、図３で示すようにその周面側部に、この周面側部を貫いて形成された開口部３Ａを有している。開口部３Ａは、ユニットケース３のその高さ方向（図１における上下方向）において、プリント基板１０の正面（図１の上側）と固定極６の背面（図１の下側）の間に設けられている。なお、ユニットケース３の音波の導入孔は上述のものに限らず適宜の形状及び数に設計できる。図６に示す従来例と比較すると、単一指向性コンデンサマイクロホンユニット１５は、開口部３Ａの位置からプリント基板１０まで連通する空間が設けられている点で異なっている。フレキシブルパイプ２の中心孔とこの中心孔に連通するユニットケース３の側部の開口部３Ａにシールド線１４が挿入され、シールド線１４は、シールド被覆線からなり、その配線は、信号線、電源線と、シールド線の３本で構成される。シールド線１４の３本の配線がプリント基板１０の正面側（図１の上側）に形成されている所定の配線パターンに接続されている。
【００１８】
図１において絶縁座７は、開口部３Ａにあわせた高さまで周面部分以外がくりぬかれ、絶縁座７の周面部分の端部とプリント基板１０がよって空間２０が設けられている。図１、図４で示すように、ユニットケース３の開放端側に形成された折り曲げ部３Ｂがプリント基板１０の背面（図１の下側）を押すことにより、プリント基板１０、絶縁座７、固定極６、図示しないスペーサ、振動板１１などの内蔵部品がユニットケース３の内底面に向かってこの順に押圧され、これらの部材がユニットケース３内に位置決めされて固定されている。また、プリント基板１０の背面が押されることによって、絶縁座７の周面部分の端部とプリント基板１０によって作られる空間２０と、ユニットケース３外部との空間２１が仕分けられている。絶縁座７の周面部分は、開口部３Ａに接する面がその円周方向において切り抜かれて形成されている。そして、ユニットケース３内に開口部３Ａの位置からプリント基板１０まで連通する空間が設けられていることで、フレキシブルパイプ２の中心孔とこの中心孔に連通するユニットケース３の周面側部の開口部３Ａにシールド線１４が挿入され、シールド線１４の３本の配線がプリント基板１０の正面側（図１の上側）に形成されている所定の配線パターンに接続されている。絶縁座７は、固定極６の背面側（図１の下側）からユニットケース３の外部に通ずる音響端子孔８が形成されている。音響端子孔８は円筒形状に形成されている。ユニットケース３の外部に向かうように音響端子孔８が形成されている。絶縁座７は、固定極６と接している正面（図１の上側）と、その反対側の背面（図１の下側）に凹陥部７Ａが設けられている。また、その凹陥部７Ａと、音響端子孔８が連通し、さらに絶縁座７の周面部分の端部とプリント基板１０によって作られている上述のユニットケース３内の空間２０と、それぞれが連通している。
【００１９】
プリント基板１０には、プリント基板１０の中心を囲むように配置された円形の複数の孔１０Ａが形成されている。複数の孔１０Ａは、音響端子孔８とともに後部音響端子を構成している。複数の孔１０Ａの数はマイクロホンの設計思想に応じて適宜の数を設定することができる。プリント基板１０の正面側（図１の上側）には、インピーダンス変換器を構成するＦＥＴ９が配置されている。固定極６の下面には、接続部４があり、ＦＥＴ９と固定極６とを電気的に接続させるため、ＦＥＴ９の端子を固定極６から伸びた接続部４に接触させている。
【００２０】
以上説明した接話型コンデンサマイクロホンの実施例によれば、ユニットケース３の周面側部にその高さ方向におけるプリント基板１０の正面と固定極６の背面の間に開口部を有し、この開口部から上記プリント基板の正面まで連通する空間が設けられ、開口部３Ａが設けられ、ユニットケース３内に開口部３Ａの位置からプリント基板１０まで連通する空間２０が設けられている。そして、開口部３Ａからシールド線１４が挿入され、シールド線１４がプリント基板１０の正面側に形成されている所定の配線パターンに接続されているので、コンデンサマイクロホンユニット１５とシールド線１４の接続がむき出しにならず、外部からの電磁波による雑音の発生を防止することができる。また、シールド線１４を大きな角度で折り曲げることなくプリント基板１０に接続することができるので、組み立てやすく、シールド線１４の断線を防ぐことができる。
【産業上の利用可能性】
【００２１】
以上、本発明の実施形態の一例について説明したが、本発明はこの例に限るものではない。例えば、本発明にかかる接話型コンデンサマイクロホンの構成をヘルメットに付加したオートバイ乗車時の通信用のヘッドセットとして利用してもよい。
【符号の説明】
【００２２】
１  接話型コンデンサマイクロホン
２  フレキシブルパイプ
３  ユニットケース
３Ａ  開口部
３Ｂ  折り曲げ部
４  接続部
５  振動板保持体
６  固定極
７  絶縁座
７Ａ  凹陥部
８  音響端子孔
９  ＦＥＴ
１０  プリント基板
１１  振動板
１２  マイクロホンケース
１３  保護部材
１４  シールド線
１５  マイクロホンユニット
２０  ユニットケース内の空間
２１  ユニットケース外部とマイクロホンケースとの空間
【図１】
2011135480.tif 000003
【図２】
2011135480.tif 000004
【図３】
2011135480.tif 000005
【図４】
2011135480.tif 000006
【図５】
2011135480.tif 000007
【図６】
2011135480.tif 000008